(57)【要約】【課題】腰部を自然な姿勢変化で捻転させることができ快適なストレッチを行うことができる椅子を提供する。【解決手段】椅子１００は、座位の使用者Ｕを支持する着座台１１０および背もたれ１３０を備えている。着座台１１０は、座位の使用者Ｕの臀部が載置される座部１２１を備えるとともに床面に載置される臀部ベースフレーム１１１が回転台１１２を備えている。回転台１１２は、着座台１１０に対して背もたれ１３０を回動自在に支持する。この回転台１１２は、引き板１１３およびコイルスプリング１１４を介して臀部ベースフレーム１１１に連結されることにより背もたれ１３０を中立位置に弾性的に位置決めする。また、回転台１１２は、座部１２１上における使用者Ｕの骨盤腔Ｐｅｈの直下位置に配置されている。背もたれ１３０は、使用者Ｕの背部がもたれた状態で支持する背受け部１３４を備えている。【選択図】  図３
2016137006.tif 000002
【特許請求の範囲】
【請求項１】
使用者が着座する着座台と、
前記着座台上に着座した前記使用者の背部を支持する背もたれとを備え、
前記背もたれは、
前記着座台上における前記使用者の骨盤における骨盤腔の直下部分を中心に同着座台の外周に沿って円弧状に揺動可能な状態で同着座台に支持されていることを特徴とする椅子。
【請求項２】
請求項１に記載した椅子において、
前記背もたれは、
前記着座台上における前記使用者の前記骨盤腔の中心部の直下部分を中心に同着座台の外周に沿って円弧状に揺動可能な状態で同着座台に支持されていることを特徴とする椅子。
【請求項３】
請求項１または請求項２に記載した椅子において、
前記椅子は、
前記着座台が床面上に直接載置される座椅子であることを特徴とする椅子。
【請求項４】
請求項１ないし請求項３のうちのいずれか１つに記載した椅子において、
前記背もたれは、
前記着座台に対して傾斜可能であることを特徴とする椅子。
【請求項５】
請求項１ないし請求項４のうちのいずれか１つに記載した椅子において、さらに、
前記背もたれを揺動中心位置に復帰させる中立位置復帰手段を備えることを特徴とする椅子。
【請求項６】
請求項１ないし請求項５のうちのいずれか１つに記載した椅子において、
前記着座台は、
前記揺動する背もたれを弾性的に受け止める回動受け部を備えることを特徴とする椅子。
【発明の詳細な説明】
【技術分野】
【０００１】
本発明は、着座した状態で腰部のストレッチを行うことができる座椅子に関する。
【背景技術】
【０００２】
従来から、使用者が着座した状態で捻転運動によるストレッチを行うことができる椅子がある。例えば、下記特許文献１には、座席に着座した使用者の背部に延びるＴ字状の上体支持部を両腕に抱え込んだ状態で腰部の捻転運動を行うことができる椅子が開示されている。
【先行技術文献】
【特許文献】
【０００３】
【特許文献１】特開平１１−２０６９１５号公報
【０００４】
しかしながら、上記特許文献１に記載された椅子においては、腰部を捻転させる上体支持部の回転中心が座席の中心に位置する支柱となっており使用者の上半身の回転中心から離れているため、腰部の自然な姿勢変化による捻転運動が行ない難く快適なストレッチを行うことができないという問題があった。
【０００５】
本発明は上記問題に対処するためなされたもので、その目的は、腰部を自然な姿勢変化で捻転させることができ快適なストレッチを行うことができる椅子を提供することにある。
【発明の概要】
【０００６】
上記目的を達成するため、本発明の特徴は、使用者が着座する着座台と、着座台上に着座した使用者の背部を支持する背もたれとを備え、背もたれは、着座台上における使用者の骨盤における骨盤腔の直下部分を中心に同着座台の外周に沿って円弧状に揺動可能な状態で同着座台に支持されていることにある。この場合、背もたれの揺動中心を規定する使用者の着座台上での着座位置は、着座姿勢の使用者が背部（腰部を含む）を起立（概ね９０°〜７０°の範囲）した背もたれに宛がうことができる着座台上の位置である。また、骨盤腔の直下とは、骨盤を真上から見た場合における骨盤腔の下方である。
【０００７】
このように構成した本発明の特徴によれば、椅子は、使用者の背部を支持する背もたれが床面に対して静止状態の着座台上における使用者の骨盤における骨盤腔の直下部分の領域内のいずれかの位置を中心に同着座台の外周に沿って円弧状に揺動するため、使用者は腰部を基点として上半身を自然な姿勢変化で捻転させることができ快適なストレッチを行うことができる。
【０００８】
また、本発明の他の特徴は、前記椅子において、背もたれは、着座台上における使用者の骨盤腔の中心部の直下部分を中心に同着座台の外周に沿って円弧状に揺動可能な状態で同着座台に支持されていることにある。
【０００９】
このように構成した本発明の特徴によれば、椅子は、使用者の背部を支持する背もたれが着座台上における使用者の骨盤腔の中心部の直下部分を中心に同着座台の外周に沿って円弧状に揺動するため、使用者は腰部の中心部を基点として上半身を自然な姿勢変化で捻転させることができ快適なストレッチを行うことができる。また、椅子は、背もたれが着座台における使用者の左右方向の中心線（身長線）の延長線の直下部分を中心に回動するようにしても腰部分の左右方向の中心部を基点として上半身を曲げることができる。
【００１０】
また、本発明の他の特徴は、前記椅子において、椅子は、着座台が床面上に直接載置される座椅子であることにある。
【００１１】
このように構成した本発明の他の特徴によれば、椅子は、着座台が床面上に直接載置される座椅子であるため、捻転運動を行う使用者が足を床面にしっかりと着けることができより深く上半身を捻転させることができる。
【００１２】
また、本発明の他の特徴は、前記椅子において、背もたれは、着座台に対して傾斜可能であることにある。
【００１３】
このように構成した本発明の他の特徴によれば、椅子は、背もたれが着座台に対して倒れる方向に傾斜可能に支持されているため、使用者は上半身を下半身に倒した姿勢で左右方向に捻転させることができる。この場合、椅子は、背もたれが着座台に対して平行、すなわち、水平状態まで倒すことによって使用者は上半身を下半身に対して左右方向に曲げるストレッチを行うことができる。
【００１４】
また、本発明の他の特徴は、前記椅子において、さらに、背もたれを揺動中心位置に復帰させる中立位置復帰手段を備えることにある。
【００１５】
このように構成した本発明の他の特徴によれば、椅子は、背もたれを揺動中心位置に復帰させる中立位置復帰手段を備えているため、使用者が上半身を左右方向に捻転運動する際に適度な負荷を与えることができるとともに、椅子を使用しない状態において背もたれを自動的に元の中立位置に復帰および維持することができる。なお、ここで背もたれの中立位置とは、使用者が正面を向いた状態で着座台上に着座した姿勢で使用者の背部に背もたれが対向する位置であり、背もたれが椅子の正面を向く位置である。
【００１６】
また、本発明の他の特徴は、前記椅子において、着座台は、揺動する背もたれを弾性的に受け止める回動受け部を備えることにある。
【００１７】
このように構成した本発明の他の特徴によれば、椅子は、揺動する背もたれを弾性的に受け止める回動受け部を着座台に備えるため、捻転運動できる範囲を穏やかに規制することができ椅子具の使用感を向上させることができる。この場合、回動受け部は、着座台において使用者が着座する部分をウレタン材などの弾性体で構成した場合には、この着座する部分を構成する弾性体によって構成することができる。
【図面の簡単な説明】
【００１８】
【図１】本発明の一実施形態に係る椅子の外観構成を斜め前方から概略的に示す前方斜視図である。
【図２】図１に示す椅子における内部構造を示すために外装部品（座部ベース、座部、背受け部）を省略した前方斜視図である。
【図３】図１に示す椅子における背もたれの回動の様子を説明するための斜視図である。
【図４】図１に示す椅子において使用者の臀部における骨盤と回転ベースとの位置関係を説明するための平面図である。
【図５】図１に示す椅子において使用者の骨盤と回転ベースとの位置関係を示しながら外観構成を側面方向から示す斜視図である。
【発明を実施するための形態】
【００１９】
以下、本発明に係る椅子の一実施形態について図面を参照しながら説明する。図１は、本発明に係る椅子具１００の外観構成の概略を斜め前方から示した前方斜視図である。また、図２は、図１に示す椅子１００における内部構造を示すために外装部品（座部ベース１２０、座部１２１、背受け部１３４）を省略した前方斜視図である。この椅子１００は、使用者Ｕが座位の姿勢で上半身を下半身に対して左右方向に捻転させるストレッチを行うことができる器具である。
【００２０】
（椅子１００の構成）
椅子１００は、主として、着座台１１０と背もたれ１３０とで構成されている。着座台１１０は、着座する使用者Ｕの臀部が載置される部分であり、臀部より大きな平面視で方形の台状に形成されている。この着座台１１０は、臀部ベースフレーム１１１を備えている。臀部ベースフレーム１１１は、着座台１１０を床面上に載置するとともに椅子１００全体を支持する部分であり、金属製の角パイプ材（断面形状が方形の中空棒状の部材）からなる複数の臀部フレーム材１１１ａ〜１１１ｆを互いに組んで構成されている。
【００２１】
より具体的には、臀部ベースフレーム１１１は、椅子１００の前後方向に延びる２つの臀部フレーム材１１１ａ，１１１ｂに椅子１００の幅方向に延びる４つの臀部フレーム材１１１ｃ〜１１１ｆをそれぞれ架設した略梯子状に形成されている。これらのうち、臀部フレーム材１１１ａ，１１１ｂは、後述するリクライニング連結具１１７よりも椅子１００の後方側、すなわち、背もたれ１２０の下方まで延びている。また、臀部フレーム材１１１ｄ，１１１ｅ上には、回転台１１２が設けられている。
【００２２】
回転台１１２は、図３に示すように、後述する背もたれ１２０を着座台１１０に対して回動させるための部品であり、互いに対向する２つの板状体からなる第１プレート１１２ａと第２プレート１１２ｂとが図示しないベアリングを介して互いに連結されて構成されている。この回転台１１２は、第１プレート１１２ａが臀部フレーム材１１１ｄ，１１１ｅ上に固定的に組み付けられているとともに、第２プレート１１２ｂに引き板１１３および第１背部支持フレーム１１６がそれぞれ組み付けられている。
【００２３】
この場合、回転台１１２は、図４および図５にそれぞれ示すように、着座台１１０上に着座する使用者Ｕの骨盤Ｐｅの骨盤腔Ｐｅｈの直下となる位置に回転中心が位置するように着座台１１０内に配置されている。本実施形態においては、回転台１１２は、着座台１１０上に載置される使用者Ｕの骨盤腔Ｐｅｈを真上から見た場合における中心部より若干仙骨Ｓａ側の直下となる位置に回転中心が位置するように着座台１１０内に配置されている。なお、図３においては、背もたれ１３０の回動状態を二点鎖線で示している。また、図４および図５においては、使用者Ｕ、骨盤Ｐｅ、骨盤腔Ｐｅｈ、仙骨Ｓａ、脊椎および大腿骨を破線で示し、座部ベース１２０および座部１２１を二点鎖線で示している。
【００２４】
引き板１１３は、回転台１１２の第２プレート１１２ｂを回転方向上における特定の向きに弾性的に向けるための部品であり、金属製の板状体で構成されている。より具体的には、引き板１１３は、回転台１１２の回転中心から椅子１００の前方に向かって延びる中心線上に延びる板状で構成されており、一方の端部が第２プレート１１２ｂに連結されるとともに他方の端部が３つのコイルスプリング１１４を介して受け台１１５に連結されている。この場合、椅子１００の前方とは、椅子１００上に使用者Ｕが正面を向いた状態で着座した場合における使用者Ｕの正面前方である。
【００２５】
３つのコイルスプリング１１４は、第２プレート１１２ｂを特定の回転方向上の向きに向けるために引き板１１３を介して第２プレート１１２ｂを引っ張るための部品である。これら３つのコイルスプリング１１４は、引き板１１３に対して互いに同じ引張力を発生するように同じばね定数で構成されている。具体的には、３つのコイルスプリング１１４は、一方の端部がそれぞれ引き板１１３の端部に掛けられるとともに、他方の端部が臀部フレーム材１１１ａ，１１１ｂ，１１１ｃ上における各受け台１１５にそれぞれ掛けられている。すなわち、３つのコイルスプリング１１４は、合力が椅子１００の前方に作用するように引き板１１３に連結されている。これにより、第２プレート１１２ｂは、３つのコイルスプリング１１４の合力によって椅子１００の前方側に常に引っ張られた状態で背もたれ１３０を支持する。
【００２６】
受け台１１５は、主として、回転台１１２の上方で座部ベース１２０を支持するための部品であり、臀部ベースフレーム１１１の４辺、具体的には、臀部フレーム材１１１ａ，１１１ｂ，１１１ｃ，１１１ｆ上においてそれぞれ上方に延びて形成されている。これら４つの各受け台１１５は、金属製の角パイプ材で構成されるとともに、互いに連結された臀部フレーム材１１１ａ，１１１ｂ，１１１ｃ，１１１ｆ上で互いに隣接する受け台１１５同士が連結支持板１１５ａによって互いに連結されている。また、４つの受け台１１５のうちの臀部フレーム材１１１ａ，１１１ｂ上にそれぞれ設けられた受け台１１５に前記３つのコイルスプリング１１４がそれぞれ連結されている。
【００２７】
第１背部支持フレーム１１６は、回転台１１２に背もたれ１３０を連結するための部品であり、椅子１００の左右の幅方向に延びる金属製の角パイプ材で構成されている。この第１背部支持フレーム１１６は、回転台１１２側の側面が金属製の角パイプ材によって第２プレート１１２ｂに連結されるとともに、背もたれ１３０側の側面の両端部にそれぞれリクライニング連結具１１７を介して背もたれ１３０が連結されている。
【００２８】
２つのリクライニング連結具１１７は、背もたれ１３０を着座台１１０に対して垂直状態におよび傾斜した状態でそれぞれ支持するための部品であり、内部に図示しないラチェット機構を有して構成されている。これらのリクライニング連結具１１７は、使用者Ｕの手動操作によって背もたれ１３０を着座台１１０に対して９０°（垂直状態）〜０°（水平状態）の角度範囲で段階的に角度を固定することができる。そして、これらのリクライニング連結具１１７は、一方の端部側が第１背部支持フレーム１１６に連結されるとともに、この一方の端部側に対して角度を変化させることができる他方の端部側が着座台１１０に対して垂直方向側に延びて背もたれ１３０に連結されている。
【００２９】
また、第１背部支持フレーム１１６における背もたれ１３０側の側面の中央部には、支持ローラ１１８が設けられている。支持ローラ１１８は、第１背部支持フレーム１１６を回転台１１２とともに支持する部品であり、ベアリングの外周部が硬質樹脂で覆われた円筒状に構成されている。この支持ローラ１１８は、臀部フレーム材１１１ｅと臀部フレーム材１１１ｆ間に架設された金属板製の転動板１１９上を転動するように第１背部支持フレーム１１６に回転自在な状態で取り付けられている。
【００３０】
座部ベース１２０は、座部１２１を支持するとともに着座台１１０の内部構造を覆う部品であり、金属製の平板によって構成されている。具体的には、座部ベース１２０は、臀部ベースフレーム１１１上における第１背部支持フレーム１１６よりも前側部分および臀部ベースフレーム１１１の前面部分をそれぞれ覆う形状の２つの板状体を側面視でＬ字状に接合して構成されている。この座部ベース１２０は、連結支持板１１５ａを介して受け台１１５によって図示しないビスを介して固定的に支持されている。
【００３１】
座部１２１は、使用者Ｕの臀部から大腿部にかけての部分が載置される部品であり、使用者Ｕを弾性的に受け止めるクッション材（例えば、ウレタン樹脂）によって構成されている。この座部１２１は、概ね前記座部ベース１２０を覆う形状に形成されている。すなわち、座部１２１は、使用者Ｕの臀部が載置される載置部１２１ａと載置部１２１ａの前側端部が下方に下垂した前面部１２１ｂとで構成されている。この場合、座部１２１における載置部１２１ａは、背もたれ１３０側の幅方向両端部が背もたれ１３０の揺動領域を確保しつつ同背もたれ１３０を弾性的に受け止めるために平面視で三角形状に切り欠かれて回動受け部１２１ｃが形成されている。本実施形態においては、回動受け部１２１ｃは、背もたれ１３０が背もたれ１３０の中立位置から左右方向にそれぞれ最大で３２.５°の角度で揺動限界となる位置よりも若干前（例えば、中立位置に対して３０°〜３２°）に形成されている。
【００３２】
背もたれ１３０は、着座状態の使用者Ｕの上半身がもたれ掛った状態で支持する部分であり、使用者Ｕの背部より大きな平面視で方形の板状に形成されている。この背もたれ１３０は、背部ベースフレーム１３１を備えている。背部ベースフレーム１３１は、使用者Ｕの上半身からの荷重を支持する部品であり、金属製の角パイプ材からなる複数の背部臀部フレーム材１３１ａ〜１３１ｆを互いに組んで構成されている。
【００３３】
より具体的には、背部ベースフレーム１３１は、椅子１００の上下方向に延びる２つの背部フレーム材１３１ａ，１３１ｂに椅子１００の幅方向に延びる３つの背部フレーム材１３１ｃ〜１３１ｅをそれぞれ架設した略梯子状に形成されている。これらのうち、背部フレーム材１３１ａ，１３１ｂにおける着座台１１０側の端部には、中折れ機構１３２を介して第２背部支持フレーム１３３が設けられている。
【００３４】
中折れ機構１３２は、背部ベースフレーム１３１を椅子１００の後方に向かって無段階で倒すことができるリクライニング機構である。この中折れ機構１３２は、第２背部支持フレーム１３３に対して背部ベースフレームを椅子１００の後方に向かって無段階で傾倒させて傾倒角を位置決めできるリクライニング本体１３２ａ、リクライニング本体１３２ａにおける傾斜角の固定状態を使用者Ｕの手動操作によって解除するための操作レバー１３２ｂおよび背部ベースフレーム１３１を椅子１００の前方の起きる方向に押圧する渦巻きバネ１３２ｃをそれぞれ備えて構成されている。そして、この中折れ機構１３２は、着座台１１０上に着座した使用者Ｕの背部における腰部に対向する位置に設けられている。
【００３５】
第２背部支持フレーム１３３は、背もたれ１３０を２つのリクライニング連結具１１７にそれぞれ連結するための部品であり、椅子１００の左右の幅方向に延びる金属製の角パイプ材で構成されている。これにより、背部ベースフレーム１３１は、第２背部支持フレーム１３３、リクライニング連結具１１７および第１背部支持フレーム１１６をそれぞれ介して回転台１１２に連結されている。また、背部ベースフレーム１３１は、０°（水平状態）に傾倒した状態において臀部ベースフレーム１１１の上面よりも上方、すなわち、着座台１１０が載置される床面から浮いた状態で支持される。
【００３６】
背部ベースフレーム１３１の外側には、背受け部１３４が設けられている。背受け部１３４は、使用者Ｕの上半身を支持するとともに背部ベースフレーム１３１の外周部を覆う部品であり、使用者Ｕを弾性的に受け止めるクッション材（例えば、ウレタン樹脂）によって構成されている。この背受け部１３４は、使用者Ｕの腰および頭部がそれぞれ載置される部分が使用者Ｕの背が載置される部分よりも盛り上がって形成されている。
【００３７】
この背もたれ１３０は、この背もたれ１３０とともに回動する第１背部支持フレーム１１６が臀部フレーム材１１１ｆ上の受け台１１５に当たることによって回動範囲が規定される。本実施形態においては、背もたれ１３０は、背もたれ１３０の中立位置から左右方向にそれぞれ最大で３２.５°の角度範囲で回動するように構成されている。
【００３８】
（椅子１００の作動）
次に、このように構成した椅子１００の作動について説明する。まず、この椅子１００を使用する使用者Ｕは、椅子１００を用意して床面などに設置する。この場合、使用者Ｕは、着座台１１０を床面上に載置する。
【００３９】
次に、使用者Ｕは、椅子１００上に着座する。具体的には、使用者Ｕは、自身の臀部を着座台１１０の座部１２１上に載置するとともに自身の背部を背もたれ１３０の背受け部１３４上にもたれさせる。この場合、使用者は、自身の足を床面に着けた状態で着座台１１０に着座する。
【００４０】
次に、使用者Ｕは、着座姿勢において自身の上半身を下半身に対して左側または右側に捻転させる。この場合、椅子１００は、背もたれ１３０が着座台１１０に対して回転台１１２によって回動可能に連結されているため、背もたれ１３０が着座台１１０の外周部に沿って円弧状に回動する。この背もたれ１３０の回動時において着座台１１０における支持ローラ１１８は、転動板１１９上を転動しながら第１背部支持フレーム１１６を支持する。これらにより、使用者Ｕは、上半身を容易に左側または右側に捻転させることができる。また、この場合、使用者Ｕは、椅子１００における回転台１１２が着座台１１０上の使用者Ｕの骨盤空Ｐｅｈの下方に配置されているため、腰部を基点として無理なく自然な姿勢変化で上半身を捻転させることができる（図３参照）。
【００４１】
また、使用者Ｕは、背もたれ１３０をコイルスプリング１１４の弾性力に抗しながら回動させるため、ストレッチ効果が高まるとともに背もたれ１３０を適度な抵抗力で回動させることにより自由に回動させる場合に比べて回動速度や回動角度位置のコントロールが行ない易くなる。また、椅子１００は、回動限界近くまで回動した背もたれ１３０が着座台１１０における座部１２１の一部に形成された回動受け部１２１ｃによって弾性的に受け止められるため、背もたれ１３０の回動限界を規定する部材への衝突を和らげることができる。
【００４２】
したがって、使用者Ｕは、自身の上半身を左右に捻転させて背もたれ１３０を左右方向に揺動させることによりストレッチを行うことができる。この場合、使用者Ｕは、コイルスプリング１１４の中立位置に戻ろうとする復帰力によって脊椎をまっすぐにした正姿勢に容易に復帰することができる。そして、使用者Ｕは、着座台１１０および背もたれ１３０から離脱することによって椅子１００の使用を終了することができる。
【００４３】
一方、使用者Ｕは、背もたれ１３０を把持して着座台１１０に対する角度を変更してリクライニング連結具１１７が規定する背もたれ１３０の角度を変更することにより背もたれ１３０の着座台１１０に対する角度を変更して上半身が傾倒した姿勢でストレッチを行うことができる。また、使用者Ｕは、背もたれ１３０を完全に倒して着座台１１０と平行にすることにより仰臥位または伏臥位でストレッチを行うことができる。この場合、使用者Ｕは、背もたれ１３０が床面から浮いた状態で座部載置台１１０に支持されているため、背もたれ１３０を円滑に回動させることができるとともに顔面の床面への接触も避けられる。また、この場合、使用者Ｕは、側臥位でストレッチ、すなわち、身体を前屈または後屈させるストレッチを行うこともできる。
【００４４】
また、使用者Ｕは、中折れ機構１３２を単独でまたはリクライニング連結具１１７とともに使用して背もたれ１３０における背部ベースフレーム１３１を椅子１００の後方に倒してストレッチを行うこともできる。この場合、使用者Ｕは、中折れ機構１３２における操作レバー１３２ｂを操作することにより背部ベースフレーム１３１を好みの角度に傾斜させることができる。これによれば、使用者Ｕは、上半身における腰部より上方を後方に反らした状態、すなわち、腹筋を伸ばした状態で上半身を容易に左側または右側に捻転させるストレッチを行うことができる。
【００４５】
上記作動説明からも理解できるように、上記実施形態によれば、椅子１００は、使用者Ｕの背部を支持する背もたれ１３０が着座台１１０上における使用者Ｕの骨盤腔Ｐｅｈの直下部分を中心に同着座台１１０の外周に沿って円弧状に揺動するため、使用者Ｕは腰部を基点として上半身を自然な姿勢変化で捻転させることができ快適なストレッチを行うことができる。
【００４６】
さらに、本発明の実施にあたっては、上記実施形態に限定されるものではなく、本発明の目的を逸脱しない限りにおいて種々の変更が可能である。
【００４７】
例えば、上記実施形態においては、椅子１００は、背もたれ１３０が着座台１１０において使用者Ｕの骨盤空Ｐｅｈの中心部より若干仙骨Ｓａ側の直下を中心として回動するように構成した。しかし、この場合、背もたれ１３０の回動中心は使用者Ｕが腰部を基点として捻転させることができれば必ずしも厳密に骨盤空Ｐｅｈの中心部の真下である必要はない。具体的には、背もたれ１３０は、着座台１１０上に着座した使用者Ｕの骨盤Ｐｅにおける骨盤腔Ｐｅｈの直下部分の領域内のいずれかの位置（例えば、中心部）を中心に同着座台１１０の外周に沿って円弧状に揺動可能な状態で同着座台１１０に支持されていればよい。また、ストレッチ器具１００は、背部載置台１３０が臀部載置台１１０における運動者の脊椎の延長線の直下部分を中心に回動するようにしても腰部分の左右方向の中心部を基点として上半身を曲げることができる。
【００４８】
また、上記実施形態においては、椅子１００は、背もたれ１３０が着座台１１０に対して倒れる方向に傾斜可能に構成した。しかし、背もたれ１３０は、少なくとも使用者Ｕが座位でもたれることができればよく、必ずしも傾斜角が可動的に構成される必要はない。すなわち、椅子１００は、リクライニング連結具１１７および／または中折れ機構１３２を省略して着座台１１０に背もたれ１３０を直接またはリクライニング連結具１１７または中折れ機構１３２を介して連結することもできる。この場合、椅子１００は、背もたれ１３０が着座台１１０に対してある特定の傾斜角のみで固定的に支持されるように構成することができる。
【００４９】
また、上記実施形態においては、背もたれ１３０は、水平状態に倒した状態において着座台１１０が載置される床面から浮いた状態となるように構成した。しかし、背もたれ１３０は、着座台１１０が載置される床面に着いた状態で構成することもできる。この場合、椅子１００は、背もたれ１３０の回動抵抗が大きくなるため、使用者Ｕのストレッチ負荷を高めることができる。なお、この場合、椅子１００は、背もたれ１３０における床面に対向する背面に転動自在な球体を設けることによって回動抵抗を減少させることができる。
【００５０】
また、上記実施形態においては、椅子１００は、引き板１１３および３つのコイルスプリング１１４からなる中立位置復帰手段によって背もたれ１３０が中立位置に自動的に復帰するように構成した。しかし、椅子１００は、背もたれ１３０が自動的に中立位置に復帰する必要がない場合には、中立位置復帰手段を省略して構成することができる。これによれば、椅子１００は、背もたれ１３０を少ない抵抗力で回動させることができるとともに背もたれ１３０を任意の回転角度位置で静止させることもできる。
【００５１】
また、上記実施形態においては、椅子１００は、背もたれ１３０が背もたれ１３０の中立位置から左右方向にそれぞれ最大で３２.５°の角度で揺動するように構成した。しかし、背もたれ１３０の揺動角度範囲は、椅子１００の仕様に応じて適宜決定されるものであり、必ずしも３２.５°の角度範囲に限定されるものではない。したがって、背もたれ１３０は、中立位置に対して３２.５°以下、または３２.５°を超える角度で回動するように構成することもできる。また、椅子１００は、背もたれ１３０が、中立位置に対して左右方向に互いに異なる角度範囲で回動するように構成することもできる。また、椅子１００は、回動受け部１２１ｃを省略して構成することもできる。
【００５２】
また、上記実施形態においては、椅子１００は、着座台１１０が床面上に直接載置される座椅子で構成した。しかし、椅子１００は、床面上に対して着座台１１０が支柱を介して浮いた腰掛け型で構成することもできる。この場合、着座台１１０を支持する支柱は、少なくとも１本（例えば、１本、３本、４本など）で構成されており、着座台１１０を上下方向や支柱の軸線回り方向に固定的または可動的に支持することができる。また、この場合、着座台１１０は、使用者Ｕが着座した際に足を床面につけることができる高さに設定される。
【符号の説明】
【００５３】
Ｕ…使用者、Ｐｅ…骨盤、Ｐｅｈ…骨盤腔、Ｓａ…仙骨、
１００…椅子、
１１０…着座台、１１１…臀部ベースフレーム、１１１ａ〜１１１ｆ…臀部フレーム材、１１２…回転台、１１２ａ…第１プレート、１１２ｂ…第２プレート、１１３…引き板、１１４…コイルスプリング、１１５…受け台、１１５ａ…連結支持板、１１６…第１背部支持フレーム、１１７…リクライニング連結具、１１８…支持ローラ、１１９…転動板、
１２０…座部ベース、１２１…座部、１２１ａ…載置部、１２１ｂ…前面部、１２１ｃ…回動受け部、
１３０…背もたれ、１３１…背部ベースフレーム、１３１ａ〜１３１ｅ…背部フレーム材、１３２…中折れ機構、１３２ａ…操作レバー、１３２ｃ…渦巻きバネ、１３３…第２背部支持フレーム、１３４…背受け部。
【図１】
2016137006.tif 000003
【図２】
2016137006.tif 000004
【図３】
2016137006.tif 000005
【図４】
2016137006.tif 000006
【図５】
2016137006.tif 000007